(57)【特許請求の範囲】
【請求項１】
次の成分（Ａ）、（Ｂ）、（Ｃ）及び（Ｄ）：
（Ａ）（ａ1）一般式（１）で表されるリン酸エステル系界面活性剤と
（ａ2）一般式（２）で表されるリン酸エステル系界面活性剤とを含有重量比率（ａ1）／（ａ2）＝１００／０〜７０／３０で含むリン酸エステル系界面活性剤  ５〜４０重量％、
【化１】
0004167808.tif 000009
（式（１）及び（２）中、Ｒ1、Ｒ2及びＲ3はそれぞれ炭素数８〜１８の直鎖もしくは分岐鎖のアルキル基もしくはアルケニル基を示し、Ｘ1、Ｙはそれぞれ水素原子、アルカリ金属原子、アルカリ土類金属原子、トリエタノールアミン又はアンモニウムを示す）
（Ｂ）低粘度化剤  ３〜１５重量％、
（Ｃ）多価アルコールのエチレンオキサイド付加物（４０〜４００モル）の分岐脂肪酸（炭素数８〜３６）エステル、ポリエチレングリコール（分子量２０００〜２００００）の分岐脂肪酸（炭素数８〜３６）エステル及びトリイソステアリン酸ポリオキシエチレンソルビタン（ＥＯ平均付加モル数１５０〜２００）から成る群から選ばれる１種以上からなる水溶性増粘剤  ０．５〜３重量％、及び
（Ｄ）成分（Ｃ）水溶性増粘剤以外の水溶性高分子増粘剤  ０．２〜３重量％
を含有し、４０℃での粘度が５０００mPa・s〜３００００mPa・sであるチューブ用の洗浄剤組成物。
【請求項２】
成分（Ａ）／（Ｂ）＝９０／１０〜５０／５０（重量比）である請求項１記載の洗浄剤組成物。
【請求項３】
成分（Ｃ）の含有量が０．８〜３重量％であり、かつ成分（Ｃ）／（Ｄ）＝４０／６０〜９０／１０（重量比）である請求項１又は２記載の洗浄剤組成物。
【請求項４】
成分（Ｄ）が、カチオン化セルロース及び（メタ）アクリル酸アルキル共重合体から選ばれる少なくとも１種である請求項１〜３のいずれか１項記載の洗浄剤組成物。
【発明の詳細な説明】
【０００１】
【発明の属する技術分野】
本発明は洗浄剤組成物に関し、更に詳細には、チューブ用に最適な粘度で、皮膚等に対する刺激が少なく、更に洗浄力にも優れ、かつ使用感が良好な洗浄剤組成物に関する。
【０００２】
【従来の技術】
リン酸エステル系界面活性剤は、石鹸、アルキルエーテルサルフェート、アルキルサルフェート等に比べて皮膚や毛髪に対する刺激が低く、皮膚洗浄剤の成分として広く応用されている。またその特徴ゆえに、広範囲の他のアニオン界面活性剤や非イオン界面活性剤との混合系などに応用されている。
更に、リン酸エステル系界面活性剤をトリエタノールアミン塩やアルカリ金属塩で中和すると、リン酸エステル塩として３０重量％以上の濃度で急激な粘度上昇やゲル化を生じ、ハンドリングが困難になる、という問題を解決した洗浄剤組成物も見いだされている（特開平７−１３８５９３号公報）。
ところが、ハンドリング性を向上させた洗浄剤組成物は、溶剤等低粘度化剤が配合されているため、チューブ用に最適な粘度を付与させることが困難である、という問題があった。
最適な粘度を付与する手段としては、水溶性増粘剤（特開昭６３−７５０９８号公報）を用いる方法が考えられるが、最適な粘度を得ようとすると、低温時での溶け易さ、べたつき、ぬるつき等、洗浄剤の使用感の低下等が生じ、逆に使用感を維持しようとすると最適な粘度にならず、性能的に不十分であった。
【０００３】
【発明が解決しようとする課題】
従って、本発明の目的は、ハンドリング性が向上され、チューブ用に最適な粘度で、皮膚等に対する刺激が少なく、しかも洗浄力に優れ、かつ使用感が良好なリン酸エステル系界面活性剤系の洗浄剤組成物を提供することである。
【０００４】
【課題を解決するための手段】
本発明は、次の成分（Ａ）、（Ｂ）、（Ｃ）及び（Ｄ）：
（Ａ）（ａ1）一般式（１）で表されるリン酸エステル系界面活性剤と
（ａ2）一般式（２）で表されるリン酸エステル系界面活性剤とを含有重量比率（ａ1）／（ａ2）＝１００／０〜７０／３０で含むリン酸エステル系界面活性剤、
【化２】
0004167808.tif 000002
（式（１）及び（２）中、Ｒ1、Ｒ2及びＲ3はそれぞれ炭素数８〜１８の直鎖もしくは分岐鎖のアルキル基もしくはアルケニル基を示し、Ｘ1、Ｙはそれぞれ水素原子、アルカリ金属原子、アルカリ土類金属原子、トリエタノールアミン又はアンモニウムを示す）
（Ｂ）低粘度化剤、
（Ｃ）多価アルコールのエチレンオキサイド付加物（４０〜４００モル）の分岐脂肪酸（炭素数８〜３６）エステル、ポリエチレングリコール（分子量２０００〜２００００）の分岐脂肪酸（炭素数８〜３６）エステル及びトリイソステアリン酸ポリオキシエチレンソルビタン（ＥＯ平均付加モル数１５０〜２００）から成る群から選ばれる１種以上からなる水溶性増粘剤、及び
（Ｄ）成分（Ｃ）水溶性増粘剤以外の水溶性高分子増粘剤
を含有し、４０℃での粘度が５０００mPa・s〜３００００mPa・sであるチューブ用の洗浄剤組成物を提供するものである。
【０００５】
【発明の実施の形態】
本発明に用いる成分（Ａ）の上記式（１）及び（２）において、Ｒ1、Ｒ2及びＲ3として炭素数１０〜１６、特に１２〜１４のアルキル基を有するものが好ましく、Ｘ1及びＹがアルカリ金属、特に水に対する溶解性の点からカリウムであるものが好ましい。また成分（Ａ）中のアルキルリン酸エステル（ａ1）の含有率は７０重量％以上（即ち、（ａ1）／（ａ2）含有重量比率７０／３０以上）が好ましい。アルキルリン酸エステル（ａ1）が７０重量％未満では、起泡性及び洗浄力が劣り好ましくない。特に好ましい（ａ1）／（ａ2）含有重量比率は洗浄力と起泡性の観点から１００／０〜８０／２０である。成分（Ａ）の含有量は、洗浄力及び起泡性の点から、本発明の洗浄剤組成物の５〜４０重量％が好ましく、８〜２５重量％が更に好ましく、１０〜２０重量％が特に好ましい。
【０００６】
成分（Ｂ）としては、多価アルコール、例えばエチレングリコール、ジエチレングリコール、プロピレングリコール、ジプロピレングリコール、グリセリン、ジグリセリン、トリグリセリン等の低級（Ｃ２〜Ｃ１２）多価アルコール；及びポリオキシエチレンアルキルエーテル酢酸のアルカリ金属（特にカリウム又はナトリウム）塩が挙げられる。好ましい成分（Ｂ）としては、エチレングリコール、プロピレングリコール、ジプロピレングリコール、グリセリン、ポリオキシエチレンＣ１０〜Ｃ１８アルキルエーテル酢酸アルカリ金属塩、特にそのＫ塩、が挙げられる。成分（Ｂ）は単独で又は２種以上の混合物として使用できる。
成分（Ａ）と（Ｂ）の含有比は本発明の洗浄剤組成物に洗浄性、起泡性低下への影響を考え、重量比で（Ａ）/（Ｂ）＝９０／１０〜５０／５０が好ましく、（Ａ）/（Ｂ）＝８５／１５〜６０／４０が更に好ましい。
成分（Ｂ）の含有量は、洗浄力と起泡性の点から、本発明の洗浄剤組成物の３〜１５重量％が好ましく、４〜８重量％が更に好ましい。
【０００７】
成分（Ｃ）の水溶性増粘剤としては、多価アルコールのエチレンオキサイド付加物（４０〜４００モル、好ましくは８０〜３００モル）の分岐脂肪酸（炭素数８〜３６）エステル、ポリエチレングリコール（分子量２０００〜２００００、好ましくは３５００〜１５０００）の分岐脂肪酸（炭素数８〜３６）エステル及び多価アルコールの分岐脂肪酸（炭素数８〜３６）エステルのエチレンオキサイド付加物（４０〜４００モル、好ましくは８０〜３００モル）から成る群から選ばれる１種以上が使用される。上記分岐脂肪酸として好ましいのは、式：Ｒ4（Ｒ5）ＣＨＣＯＯＨ（式中、Ｒ4 は炭素数８〜１８の直鎖もしくは分岐鎖のアルキルもしくはアルケニル基を示し、Ｒ5は炭素数２〜１６の直鎖もしくは分岐鎖のアルキルもしくはアルケニル基を示す）で表されるα−分岐脂肪酸である。特に好ましい成分（Ｃ）として、トリイソステアリン酸ポリオキシエチレンソルビタン（ＥＯ平均付加モル数１５０〜２００）が挙げられる。
成分（Ｃ）の含有量は、下限はチューブ用に最適な粘度を得る点から、そして上限は低温での溶け性が確保し感触を良好にする点から、本発明の洗浄剤組成物の０．５〜３重量％が好ましく、０．８〜２．５重量％が更に好ましい。
【０００８】
成分（Ｄ）の水溶性高分子増粘剤とは、分子量約１００，０００以上の高分子であって、増粘剤高分子又は水溶性の皮膜剤高分子として知られた天然、半合成もしくは合成の高分子である。半合成高分子としては、セルロース系高分子、例えばメチルもしくはエチルセルロース、ヒドロキシエチルもしくはプロピルセルロース、カルボキシメチルセルロース、メチルヒドロキシプロピルセルロース、カチオン化セルロース等が挙げられる。合成高分子としては、ビニル系合成水溶性高分子、例えばアクリル酸メタクリル酸アルキル共重合体、カルボキシビニルポリマー等が挙げられる。天然高分子としては、微生物系天然高分子、例えばキサンタンガム等、が挙げられる。中でも、カチオン化セルロース、ヒドロキシセルロース、アクリル酸メタクリル酸アルキル共重合体（１重量％水溶液のＢ型粘度計による粘度が１０００ｍＰａ・ｓ以上（２５℃））が好ましい。これらの水溶性高分子増粘剤を単独又は２種以上を組み合わせて使用することができる。
成分（Ｄ）の含有量は、本発明の洗浄剤組成物の０．２〜３重量％が好ましく、０．３〜２重量％が更に好ましい。
【０００９】
本発明においてチューブ用に最適な粘度とは、４０℃での粘度が５０００mPa・s以上のもの、好ましくは５０００mPa・s〜３００００mPa・sのものを意味する。
成分（Ｃ）と成分（Ｄ）の含有比は、重量比で（Ｃ）／（Ｄ）＝４０／６０〜９０／１０、好ましくは（Ｃ）／（Ｄ）＝５０／５０〜７５／２５、とすることにより、チューブ用に最適な粘度が得られる。
好ましい本発明の洗浄剤組成物の一態様では、洗浄剤組成物中に成分（Ａ）５〜４０重量％、成分（Ｂ）３〜１５重量％、成分（Ｃ）０．５〜３重量％、及び成分（Ｄ）０．２〜３重量％を含有する。かかる組成物は、皮膚等に対する刺激が少なく、更に洗浄力にも優れ、かつ使用感が良好な洗浄剤組成物となる。
【００１０】
本発明の洗浄剤組成物には、その使用目的に応じ、更に色素、香料、殺菌剤、消炎剤、キレート剤、増泡剤、防腐剤、湿潤剤、他の界面活性剤等を本発明の効果を損なわない範囲で含有することができる。
本発明の洗浄剤組成物は常法により製造することができる。また該組成物は皮膚の洗浄に使用するのに好ましい。
【００１１】
【実施例】
実施例１
表１及び表２に示す組成の洗浄剤組成物を常法に従って調製し、粘度、１０℃での伸ばしやすさ、洗浄時の使用感及び泡立てやすさを下記の基準で評価した。その結果を表１及び表２に示す。
（粘度）
Ｂ型粘度計を用い、１０，０００mPa・s以上の場合、ローターＮｏ．４、６ｒｐｍ；１０，０００mPa・s未満の場合、ローターＮｏ．３、６ｒｐｍ、測定温度４０℃にて、常法に従って調製した洗浄剤組成物の粘度を測定した。
【００１２】
（１０℃での溶けやすさ）
常法に従って調製した洗浄剤組成物を１０℃に冷却後、該洗浄剤組成物１ｇを手のひらに塗布し、冷水にて該洗浄剤組成物の溶けやすさを専門パネラー１０名により下記の評価基準に従い評価した。
ＡＡ：非常に良好な溶けやすさ
Ａ：良好な溶けやすさ
Ｂ：やや良好な溶けやすさ
Ｃ：溶けやすさがやや不良
Ｄ：溶けやすさが不良
【００１３】
（洗浄時の使用感及び泡立てやすさ）
手のひらに洗浄剤組成物１ｇを塗布し、１分間泡立て、専門パネラー１０名により下記の評価基準に従い評価した。
洗浄時の使用感
Ａ：使用感良好
Ｂ：ぬるつき、べたつき感やや有り
Ｃ：めるつき、べたつき感有り
洗浄時の泡立てやすさ
ＡＡ：非常に良好な泡立ち
Ａ：良好な泡立ち
Ｂ：泡立つがやや不足
Ｃ：泡立ちが不良
【００１４】
【表１】
0004167808.tif 000003
【００１５】
【表２】
0004167808.tif 000004
【００１６】
実施例２
処方例１〜４に従ってチューブ用洗浄剤を調製した。
【００１７】
0004167808.tif 000005
（ ａ）：カーボポールＥＴＤ２０２０；ＢＦ Ｇｏｏｄｒｉｃｈ社製）
Ｂ型粘度計による４０℃での粘度は１３，０００mPa・sであった。
【００１８】
0004167808.tif 000006
（ ｂ）：ＨＥＣ８５０Ｋ；ダイセル化学工業（株）製）
（ ｃ）：カーボポールＥＴＤ２０２０；ＢＦ Ｇｏｏｄｒｉｃｈ社製）
Ｂ型粘度計による４０℃での粘度は２１，０００mPa・sであった。
【００１９】
0004167808.tif 000007
（ ｄ）：カーボポールＥＴＤ２０２０；ＢＦ Ｇｏｏｄｒｉｃｈ社製）
Ｂ型粘度計による４０℃での粘度は８，０００mPa・sであった。
【００２０】
0004167808.tif 000008
（ ｅ）：カーボポールＥＴＤ２０２０；ＢＦ Ｇｏｏｄｒｉｃｈ社製）
Ｂ型粘度計による４０℃での粘度は７，０００mPa・sであった。
いずれも最適な粘度で、皮膚等に対する刺激が少なく、更に洗浄力にも優れ、かつ使用感が良好なものであった。
【００２１】
【発明の効果】
本発明は、チューブ用に最適な粘度で、皮膚等に対する刺激が少なく、更に洗浄力にも優れ、かつ使用感が良好なものである。